(57)【要約】【課題】  仮に工具などを挿入され、本体ケースの螺着が解除された場合であっても、本体ケースが扉から脱落不能となる面付錠の取付構造を得る。【解決手段】  シリンダー式のサムターン摘み１３と、摘み１３が施錠方向に回動操作されることで本体ケース側面１５ａから突出されるデッドボルト１７と、デッドボルト１７の突出動作に連動してデッドボルト１７の突出方向に交差する方向でデッドボルト１７の先端部１７ａから突出される抜け止め板１９とを備えた面付錠１１を、扉２１の室内面２１ａに露出させて取り付ける面付錠１１の取付構造であって、面付錠１１は、扉２１の室内面２１ａに予め螺着された面付錠取付板２３に対して螺着され、面付錠取付板２３には、本体ケース側面１５ａと略平行な係止板３５が延出形成され、係止板３５には、本体ケース側面１５ａから突出されるデッドボルト１７の嵌入可能な挿通穴３７が形成される。【選択図】      図１
2006144386.tif 000002
【特許請求の範囲】
【請求項１】
合鍵を挿入することで回動が可能となるシリンダー式のサムターン摘みと、該摘みが施錠方向に回動操作されることで本体ケース側面から突出されるデッドボルトと、該デッドボルトの突出動作に連動して該デッドボルトの突出方向に交差する方向で該デッドボルトの先端部から突出される抜け止め板とを備えた面付錠を、扉の室内面に露出させて取り付ける面付錠の取付構造であって、
前記面付錠は、前記扉の室内面に予め螺着された面付錠取付板に対して螺着され、
前記面付錠取付板には、前記本体ケース側面と略平行な係止板が延設され、
該係止板には、前記本体ケース側面から突出されるデッドボルトの嵌入可能な挿通穴が形成されていることを特徴とする面付錠の取付構造。
【請求項２】
前記面付錠取付板を前記扉の室内面に螺着するための台板取付ねじが、前記本体ケースに覆われる位置で設けられていることを特徴とする請求項１記載の面付錠の取付構造。
【請求項３】
合鍵を挿入することで回動が可能となるシリンダー式のサムターン摘みと、該摘みが施錠方向に回動操作されることで本体ケース側面から突出されるデッドボルトと、該デッドボルトの突出動作に連動して該デッドボルトの突出方向に交差する方向で該デッドボルトの先端部から突出される抜け止め板とを備えた面付錠を、扉の室内面に固定するための面付錠取付板であって、
前記本体ケースを螺着するためのケース取付穴が穿設された台板部と、
前記本体ケースに覆われる位置で穿設され該台板部を前記扉の室内面に螺着するための複数の台板取付穴と、
前記台板部から前記本体ケース側面と略平行に延設された係止板と、
該係止板に形成され前記本体ケース側面から突出されるデッドボルトの嵌入可能な挿通穴と、
を具備していることを特徴とする面付錠取付板。
【発明の詳細な説明】
【技術分野】
【０００１】
本発明は、扉の室内面に本体ケース側面が露出して取り付けられる面付錠の取付構造及びそれに用いる面付錠取付板に関する。
【背景技術】
【０００２】
近年、扉に設けられた小窓を破壊した開口部や、扉に設けられた郵便箱の投入口、或いは扉に設けられた来訪者確認用の小穴を利用し、不正工具を用いて扉の室内面に設けられるサムターンを不正に解錠する所謂サムターン回しの犯罪が増加している。この種のサムターン回しに対し、従来では、サムターン摘みに、摘みの回動を規制するボタンを設け、ボタンを押下しなければ摘みの回動操作が行えないようにして、棒、針金などの挿入によっては容易にサムターン回しが行えないように対策がなされていた。
【０００３】
さらに、このようなサムターン回しには、サムターン自体にシリンダー錠を設け、室内側からでもこのシリンダー式のサムターン摘みに合鍵を挿入しなければ、サムターンの回動操作が不能となるシリンダー式のサムターン摘みが提案され、より高い防犯性の確保が図られている。
【発明の開示】
【発明が解決しようとする課題】
【０００４】
しかしながら、近年、サムターン回しなどの不正行為がさらに大胆かつ暴力的となる傾向にある。すなわち、例えば扉の室内面に露出して取り付けられる面付錠の場合、仮にサムターン摘みがシリンダー式のものであっても、扉に手の挿入可能な大穴をホールソーなどの工具を用いて開け、この穴からドライバ工具を持って手を差し入れ、面付錠の本体ケースを固定している取付ねじを取り外し、面付錠自体を扉から脱落させてしまい、扉を開放してしまう悪質な行為が報告されている。この場合、本体ケースの螺着が解除されてしまえば、本体ケースから突出したデッドボルトが、扉枠から抜けてしまうため、扉と扉枠との係合手段がなくなり、扉は開放可能状態となった。
【０００５】
本発明は上記状況に鑑みてなされたもので、仮に工具などを挿入され、本体ケースの螺着が解除された場合であっても、本体ケースが扉から脱落不能となる面付錠の取付構造及びそれに用いる面付錠取付板を提供し、もって、さらなる防犯性の向上を図ることを目的とする。
【課題を解決するための手段】
【０００６】
次に、上記の課題を解決するための手段を、実施の形態に対応する図面を参照して説明する。
本発明の請求項１記載の面付錠の取付構造は、合鍵を挿入することで回動が可能となるシリンダー式のサムターン摘み１３と、該摘み１３が施錠方向に回動操作されることで本体ケース側面１５ａから突出されるデッドボルト１７と、該デッドボルト１７の突出動作に連動して該デッドボルト１７の突出方向に交差する方向で該デッドボルト１７の先端部１７ａから突出される抜け止め板１９とを備えた面付錠１１を、扉２１の室内面２１ａに露出させて取り付ける面付錠１１の取付構造であって、
前記面付錠１１は、前記扉２１の室内面２１ａに予め螺着された面付錠取付板２３に対して螺着され、
前記面付錠取付板２３には、前記本体ケース側面１５ａと略平行な係止板３５が延設され、
該係止板３５には、前記本体ケース側面１５ａから突出されるデッドボルト１７の嵌入可能な挿通穴３７が形成されていることを特徴とする。
【０００７】
この面付錠の取付構造では、デッドボルト１７が係止板３５の挿通穴３７を貫通して、扉枠４１側のデッドボルト係合部４３に進入するので、仮に扉２１に穴を開けられ、この穴から手が挿入されて工具により本体ケース１５の螺着が解除された場合であっても、係止板３５を貫通したデッドボルト１７から抜け止め板１９が交差方向で突出し、デッドボルト１７が係止板３５に対して脱着不能となり、この係止板３５が扉２１に固定状態であることから、面付錠１１を扉２１から脱落させることが不可能となって、デッドボルト１７の扉枠４１側との係合状態が保たれ、扉２１の開放が不可能となる。
【０００８】
請求項２記載の面付錠の取付構造は、前記面付錠取付板２３を前記扉２１の室内面２１ａに螺着するための台板取付ねじ２５が、前記本体ケース１５に覆われる位置で設けられていることを特徴とする。
【０００９】
この面付錠の取付構造では、本体ケース１５の螺着が解除されても、抜け止め板１９によって脱落不能に係止板３５に係止された本体ケース１５によって、台板取付ねじ２５が覆われる。
【００１０】
請求項３記載の面付錠取付板は、合鍵を挿入することで回動が可能となるシリンダー式のサムターン摘み１３と、該摘み１３が施錠方向に回動操作されることで本体ケース側面１５ａから突出されるデッドボルト１７と、該デッドボルト１７の突出動作に連動して該デッドボルト１７の突出方向に交差する方向で該デッドボルト１７の先端部１７ａから突出される抜け止め板１９とを備えた面付錠１１を、扉２１の室内面２１ａに固定するための面付錠取付板２３であって、
前記本体ケース１５を螺着するためのケース取付穴２４が穿設された台板部３３と、
前記本体ケース１５に覆われる位置で穿設され該台板部３３を前記扉２１の室内面２１ａに螺着するための複数の台板取付穴２５と、
前記台板部３３から前記本体ケース側面１５ａと略平行に延設された係止板３５と、
該係止板３５に形成され前記本体ケース側面１５ａから突出されるデッドボルト１７の嵌入可能な挿通穴３７と、
を具備したことを特徴とする。
【００１１】
この面付錠取付板では、面付錠１１の螺着が解除された場合であっても、係止板３５を貫通したデッドボルト先端部１７ａの抜け止め板１９が係止板３５に係止し、面付錠取付板２３からの面付錠１１の脱落を阻止する。
【発明の効果】
【００１２】
本発明に係る請求項１記載の面付錠の取付構造によれば、面付錠取付板が扉の室内面に螺着され、この面付錠取付板に対して面付錠が螺着される。面付錠取付板には、面付錠から突出するデッドボルトの貫通する係止板が一体的に設けられているので、施錠状態では、デッドボルトが係止板の挿通穴を貫通して、扉枠側のデッドボルト係合部に進入することとなる。したがって、仮に扉に穴を開けられ、この穴から手が挿入されて工具により本体ケースの螺着が解除された場合であっても、係止板を貫通したデッドボルトから抜け止め板が交差方向で突出しているので、デッドボルトが係止板から脱着不能となり、その結果、デッドボルトが扉と扉枠との間に亘って介在したままの状態となり、扉の開放を阻止することができる。この結果、面付錠の螺着が解除された場合であっても、扉を施錠状態のままに維持でき、防犯性を向上させることができる。
【００１３】
請求項２記載の面付錠の取付構造によれば、面付錠取付板を扉の室内面に螺着するための台板取付ねじが本体ケースに覆われる位置で設けられているので、仮に面付錠取付板に対する本体ケースの螺着が解除されても、抜け止め板によって脱落不能に係止板に係止された本体ケースによって、台板取付ねじが覆い隠される位置となり、面付錠取付板の取り外しを不能にすることができる。つまり、面付錠取付板の取り外しが不可能となるため、デッドボルトが扉と扉枠との間に亘って介在したままの状態となり、扉の開放を阻止することができる。
【００１４】
請求項３記載の面付錠取付板によれば、扉に螺着された状態の面付錠取付板に面付錠がさらに螺着され、かつ面付錠から突出されるデッドボルトが面付錠取付板の係止板を貫通するので、仮に面付錠の螺着が解除された場合であっても、係止板を貫通したデッドボルト先端部の抜け止め板が係止板に係止し、面付錠取付板からの面付錠の脱落を阻止することができる。したがって、デッドボルトが扉と扉枠との間に亘って介在したままの状態となり、扉の開放を阻止することができる。この結果、面付錠の螺着が解除された場合であっても、扉を施錠状態のままに維持でき、防犯性を向上させることができる。
【発明を実施するための最良の形態】
【００１５】
以下、本発明に係る面付錠の取付構造及びそれに用いる面付錠取付板の好適な実施の形態を図面を参照して詳細に説明する。
図１は本発明に係る面付錠の取付構造の分解斜視図、図２は図１に示した面付錠取付板の拡大斜視図、図３は図１に示した面付錠による扉施錠状態の正面図、図４は図３の横断面図、図５は螺着解除状態において扉枠との係合を保持し続ける面付錠の状態を表した横断面図である。
面付錠１１は、図示しない合鍵を挿入することによってのみ回動操作が可能となるシリンダー式のサムターン摘み１３を、本体ケース１５より室内側へ突出させて備えている。本体ケース１５の内部には、図示しない施解錠機構部が内設され、施解錠機構部は摘み１３が施錠方向に回転操作されることにより、本体ケース側面１５ａからデッドボルト１７を突出させる。また、この施解錠機構部は、デッドボルト１７の突出に連動して、デッドボルト１７の突出方向に交差する方向（例えば図１の上方向）でデッドボルト１７の先端部１７ａから突出される抜け止め板１９を備えている。例えば、この抜け止め板１９は、略鎌形状に形成された板部材よりなり、デッドボルト１７に対して基端が揺動自在に軸支された構成とされ、このデッドボルト１７の進退動作に連動するようになっている。
【００１６】
また、デッドボルト１７を突出した施錠状態から、摘み１３が解錠方向に回転操作されると、デッドボルト１７が本体ケース１５へと引き込まれると同時に、抜け止め板１９も下方へ後退して、デッドボルト１７の引き込みが可能となる。
【００１７】
この面付錠１１の本体ケース１５は、扉２１の室内面２１ａに予め固定される面付錠取付板２３に螺着される。すなわち、本体ケース１５の上部、下部には、例えば一対ずつの合計４本の本体ケース取付ねじ２２が貫通され、本体ケース取付ねじ２２は面付錠取付板２３のケース取付穴２４を貫通して扉２１内のナット、或いは扉２１の室外側に設けられる図示しない外部シリンダー錠と螺着される。なお、図１中、２７は本体ケース取付ねじ２２を覆うために、本体ケース１５に係着されるカバーである。
【００１８】
図２に示すように、面付錠取付板２３には面付錠１１から突出する図示しない入出力軸の貫通する軸貫通穴２９が中央部に穿設される。また、この面付錠取付板２３を、扉２１の室内面２１ａに取り付けるための台板取付穴３１，３１が、軸貫通穴２９を挟んで上下に穿設される。台板取付穴３１，３１は、本体ケース１５が面付錠取付板２３に取り付けられた際、本体ケース１５に覆われる位置に配設されている。つまり、台板取付穴３１，３１に挿入されて面付錠取付板２３を扉２１の室内面２１ａに固定する台板取付ねじ２５も、本体ケース１５によって覆われることになる。
【００１９】
面付錠取付板２３の基部である台板部３３には本体ケース１５の本体ケース側面１５ａに沿って平行に延設された、例えば折曲形成により得られる係止板３５が一体に設けられている。係止板３５には本体ケース側面１５ａから突出されるデッドボルト１７の嵌入可能な挿通穴３７が穿設されている。
【００２０】
面付錠取付板２３が扉２１の室内面２１ａに螺着され、この面付錠取付板２３に螺着された面付錠１１は、図３に示すように、摘み１３が施錠方向に回動されて、デッドボルト１７が突出すると、係止板３５の挿通穴３７をデッドボルト１７が貫通することとなる。
【００２１】
面付錠１１の取付構造では、扉２１の室内面２１ａに固定された面付錠取付板２３に対し、面付錠１１がさらに固定され、施錠状態においては、面付錠１１から突出したデッドボルト１７が、係止板３５を貫通して、扉枠４１側のデッドボルト係合部４３へと進入する。この際、突出したデッドボルト１７の先端部１７ａからは、さらに抜け止め板１９が上方向へと突出されている。
【００２２】
したがって、図４に示すように、扉２１が開放されようとしても、扉２１に固定された面付錠１１のデッドボルト１７が、扉枠４１側のデッドボルト係合部４３に進入しているため、デッドボルト１７が扉枠４１に当接して、扉２１の開放が阻止されることとなる。
【００２３】
このような通常の施錠状態において、例えば扉２１に手の入る大穴が開けられ、その穴からドライバなどの工具を持った手が挿入されて、本体ケース１５の本体ケース取付ねじ２２が螺合解除されると、図５に示すように、本体ケース１５は、面付錠取付板２３との螺着が解除される。このような面付錠取付板２３との固定が解除された場合であっても、面付錠１１は、係止板３５を貫通してデッドボルト１７が突出しており、その先端部１７ａには抜け止め板１９がさらに突出されているため、抜け止め板１９が係止板３５に引っ掛かる（図３参照）。その結果、面付錠１１は、デッドボルト１７を係止板３５から突出させた状態で、脱落が阻止される。
【００２４】
そして、面付錠取付板２３を扉２１の室内面２１ａに螺着するための台板取付ねじ２５が本体ケース１５に覆われる位置で設けられているので、仮に面付錠取付板２３に対する本体ケース１５の螺着が解除されても、抜け止め板１９によって脱落不能に係止板３５に係止された本体ケース１５によって、台板取付ねじ２５が覆われ、面付錠取付板２３の取り外しを不能にすることができる。つまり、面付錠取付板２３の取り外しが不能となるため、デッドボルト１７が扉２１と扉枠４１との間に亘って介在したままの状態となり、すなわち扉２１側の係止板３５と扉枠４１側の係合部４３とに亘って両端から抜き去ることの不可能なデッドボルト１７が介在して閂状態となり、扉２１の開放を阻止することができる。
【００２５】
したがって、この面付錠の取付構造によれば、面付錠取付板２３が扉２１の室内面２１ａに螺着され、この面付錠取付板２３に対して面付錠１１が螺着される。面付錠取付板２３には、面付錠１１から突出するデッドボルト１７の貫通する係止板３５が一体的に設けられているので、施錠状態では、デッドボルト１７が係止板３５の挿通穴３７を貫通して、扉枠４１側のデッドボルト係合部４３に進入することとなる。そして、仮に扉２１に穴を開けられ、この穴から手が挿入されて工具により本体ケース１５の螺着が解除された場合であっても、係止板３５を貫通したデッドボルト１７から抜け止め板１９が交差方向で突出しているので、デッドボルト１７が係止板３５から脱着不能となり、その結果、デッドボルト１７が扉２１と扉枠４１との間に亘って介在したままの状態となり、扉２１の開放を阻止することができる。この結果、面付錠１１の螺着が解除された場合であっても、扉２１を施錠状態のままに維持でき、防犯性を向上させることができる。
【００２６】
また、上記の面付錠取付板２３によれば、扉２１に螺着された状態で、面付錠１１がさらに螺着され、かつ面付錠１１から突出されるデッドボルト１７が係止板３５を貫通するので、仮に面付錠１１の螺着が解除された場合であっても、係止板３５を貫通したデッドボルト先端部１７ａの抜け止め板１９が係止板３５に係止し、面付錠１１の脱落を阻止することができる。そして、デッドボルト１７が扉２１と扉枠４１との間に亘って介在したままの状態となり、扉２１の開放を阻止することができる。この結果、面付錠１１の螺着が解除された場合であっても、扉２１を施錠状態のままに維持でき、防犯性を向上させることができる。
【図面の簡単な説明】
【００２７】
【図１】本発明に係る面付錠の取付構造の分解斜視図である。
【図２】図１に示した面付錠取付板の拡大斜視図である。
【図３】図１に示した面付錠による扉施錠状態の正面図である。
【図４】図３の横断面図である。
【図５】螺着解除状態において扉枠との係合を保持し続ける面付錠の状態を表した横断面図である。
【符号の説明】
【００２８】
１１…面付錠
１３…シリンダー式のサムターン摘み
１５…本体ケース
１５ａ…本体ケース側面
１７…デッドボルト
１７ａ…先端部
１９…抜け止め板
２１…扉
２１ａ…室内面
２３…面付錠取付板
２４…ケース取付穴
２５…台板取付ねじ
３１…台板取付穴
３３…台板部
３５…係止板
３７…挿通穴
【図１】
2006144386.tif 000003
【図２】
2006144386.tif 000004
【図３】
2006144386.tif 000005
【図４】
2006144386.tif 000006
【図５】
2006144386.tif 000007